(57)【要約】一つ以上の鉄鋼タンク（１）、一つ以上の鉄鋼製パイプ（２）、鉄製レベルタンク（３）、鉄製チャンバー（４）、クロム鉄製シリンダー（５）、空気圧シリンダー（６）、右側空気シリンダー（８）、空気シリンダー（９）、金属製プラグ又はバルブ（１０）、左側ローラーベアリングのバックスタンド付きシリンダー上昇下降ガイドステム（１１）、ローラーベアリングバックスタンド付き上昇下降シリンダーのガイドステム（１２）、外部平衡錘（１３）、滑車（１４）、ここで重量ケーブルは固定され、滑車（１５）は錘ケーブルを固定し、電気モーター（１７）を通過する中央軸を動作させ、中央軸滑車（２４）はそこに固定するケーブル（２５）を通過して上下にシリンダー（３２）を引き、ケーブルが逆回転する機械動作の中央軸（２６）は固定され、外側錘（１３）と内部シリンダー（５）に動作を与え、パイプ（２８）は機械タービン（２７）に水を与えることより構成される水圧機械。
2006522249.tif 000002
【特許請求の範囲】
【請求項１】
内部でシリンダーの上下動が行なわれ、この動作を通じて水位を上昇させることにより、タービンローターの方向に水を落とす鉄又は他の材料で構成されたタンク又は水柱（１）と、
前記タンク（１）の内部に開口しており、水の出入口が、シリンダー保護スリーブに接続されたリングで封止され、前記タンク（１）に回収及び再送する液体が通過できるパイプと、
前記ローターの動作工程の後、使用済み液体を回収する水又は他の液体の箱（３）と、
前記タンク内の前記シリンダーの動作を保護し、前記チャンバー封止リングを締め付け、
前記機械の動作により使用される液体の出入れを処理するシリンダースリーブ（４）と、
タンク（１）内の内部動作を通して、その下降上昇の中で全ての動作が、液体の中で実施される鉄又は他の材料製のシリンダー（５）と、
前記液体と前記スリーブから前記タンク（１）への液体の通路の外部密封を行なう、金属や他の材料から造られた移動式リング（６）と、
機械的動作の、空気圧又はその他シリンダー（７）（８）（９）と、
パイプの前記直接の接触を通して水の前記回収、常に前記シリンダーの前記液体中である前記内部動作、前記リングの開閉及び液体の侵入、動作中の前記内部シリンダーと外側の錘のバランス、前記動作努力の削減状態、の前記機械の一般的な全ての動作と、
開口部を持つガラス製のシリンダー（１１）と、
前記ガラスシリンダーに固定された滑車の位置（１０）と、
前記シリンダーはストップし又は他の本体と交換され、ガラス製の前記シリンダーの貫通位置を請求すること
より成る事を特徴とする水圧機械。
【発明の詳細な説明】
【技術分野】
【０００１】
本発明は一つ以上のシリンダーを通過し、機械のサイズにより、一つ以上のスリーブに取付けられ、上下にその動きを実施する特に電力生成のために開発された機械に関する。
【発明の開示】
【発明が解決しようとする課題】
【０００２】
スリーブとシリンダーはタンク又は水柱の中にあり、その中で動作する。そのスリーブの中に、タンクから外への水又は他の液体の出口をシールするリングがある。そして、スリーブからタンク１への移動もさせる。このリングは壁に対して傾いて、シリンダーが下から上に置き換えられ、スリーブの内側に空間を作り、すなわち、プラグ又はバルブの開口部を通し、ローターの中で使用された回収箱内にある水又は他の液体により素早く占められる。
【０００３】
この箱はスリーブのレベルより高くし、したがって、レベルの違いにより、シリンダーは水の内側の侵入を許す。水箱のプラグを閉め、リングを開けて、そのシリンダーは逆コースで、リングの開口部を通過して水又は他の液体の上昇をさせるので、本願発明は、スリーブからタンク１までの液体の置き換えを高速で新しい動作の実行を可能にし、全てが容易で、液体の置き換えは素早く、簡単である回収水圧機械を提供する。
【課題を解決するための手段】
【０００４】
タンクの中のシリンダーとチャンバーはある液体であり、この空間の部分を占めている。このようにして使用される材料は中央軸を通過して動作し、電気又は他のタイプのモーターにより動作し、この軸の中に逆方向に二つの鋼線で結ばれ、一本の鋼線は中央シリンダーを保持し、もう一本の鋼線はその機械の外の錘を保持し、そして、それらは内側と外側の錘で揺れを作り出し、シリンダーケーブルが上昇すると、外側の錘のケーブルが下降する。
【０００５】
外側の錘が上昇すると、シリンダーは下降する。
これらの動作はよくバランスされており、低エネルギー消費で機械を動かす。リングとプラグの中に動作中に大量液体の生産のスピードが必要なので、空気圧シリンダーが使用される。これら全ての動作はこの機械の数箇所に取付けられたセンサーにより正しく指示される。
【発明を実施するための最良の形態】
【０００６】
図１は全体図を示す。タンク又は水柱又は他の流体のコラム１において、この高さはローターを回転させるのに必要な水の量による。この機械は大きい寸法であることに注目し、一つ以上のシリンダーを必要とし、タンクは必要により一つ以上であり、箱から円柱までの水のレベルパイプ２は、シリンダーが上昇した時、水はシリンダーにより残された空間に素早く充満する。水の箱３、タービンローター内で水移動の流れを受け、その高さから、水を回収し、パイプを通過してシリンダースリーブに搬送し、シリンダースリーブ４、リングがシリンダースリーブに対して傾く時、このスリーブはタンクの内側から外側への水の流れを除去し、シリンダーが上昇する時、シリンダーにより残された空間にタービンローターの中で使用された液体の回収をさせる。
【０００７】
上昇下降するシリンダー５は、それに近接するリングと一緒に上昇する時、水又は他の液体の回収をさせる。それがリングを開けたまま、そして、プラグを閉めたまま下降する時、それはスリーブの内側からマザータンクの内側にその液体を放出し、水面の高さを上昇させ、ローターを落とす原因となる。
【０００８】
タンクに対するシリンダースリーブ密封リング６、シリンダーが開いている時その下降開始の準備ができており、シリンダーが閉じた時、その上昇開始の準備ができている。
【０００９】
空気圧シリンダー７は密封リングを開閉する機能を持つ。空気圧シリンダー８は空気圧シリンダー７と同等の機能を持つ。空気圧シリンダー９は、パイプ回収箱の水の通過の密封を何が早めるのが可能かにより、プラグ又はバルブを開ける機能を持つ。
【００１０】
左側シリンダガイドステム１１右側シリンダガイドステム１２、内側シリンダーと外側錘間のバランスさせる外側錘１３、及び逆転した結びにより外側錘を支える鋼線で軸に固定する滑車１４であり、シリンダーが下がれば錘が上がる。
【００１１】
電気モーターで軸を急回転させ機械に動作をさせる中央軸に固定した滑車１５、機械の中央軸にお互いにベルトで連結され、機械に動作を実施させる電気モーター１６、モーター補助テーブル１７、プラグに動作を与える空気圧シリンダーの補助テーブル１８、機械をパイプに固定するステム１９、ステム１９と同等な機能を持つ機械固定ステム２０、地面にパイプ固定するステム２１、マザーパイプを地面に固定用ステム２２、及び地面にパイプ保持するステム２３を入れる動作が実行されると、シリンダーを上げ下げさせる機能を持った鋼線で結ばれる中央軸に固定された滑車２４、シリンダーと滑車を結ぶケーブル２５、逆方向に回転する滑車に固定されたケーブルの機械の中央軸２６、水を打ち付けて電動機へ動作を変換し、電気エネルギーの生成を可能にするタービン又はローター２７、タービンローターへの水又は他の流体の伝導パイプ２８、及び機械中央シリンダーの密封リング２９は、図により上昇下降するシリンダー３１は強調されており、上昇下降するシリンダー５は図２でも示されており、開いたガラスの形状で構成されており、その液体が他に移される間非常によく動作する、
【００１２】
止めるシリンダー３２、ガラス製シリンダーの動作で下から上に液体の置き換えがなされ、ガラス製シリンダーがシリンダー内に貫通したら、それは停止する。滑車３３の位置はガラスのシリンダーの側面に固定され、中央には位置していない。
【図面の簡単な説明】
【００１３】
【図１】本機械の全体図
【図２】本機械の全体図
【図１】
2006522249.tif 000003
【図２】
2006522249.tif 000004
【国際調査報告】
2006522249.tif 000005
2006522249.tif 000006
2006522249.tif 000007